(57)【特許請求の範囲】
【請求項１】
ネットワークと、
前記ネットワークに接続されたサーバと、
前記ネットワークに接続され、タイヤの少なくとも一部に装飾が施された装飾タイヤの注文を行うためのユーザ端末と、を具える装飾タイヤ注文システムであって、
前記ユーザ端末は、前記装飾の内容とタイヤ上の位置を指定する装飾指定手段と、装飾が施されるタイヤの使用条件を指定する使用条件指定手段と、該装飾指定手段を介して指定された装飾が施された装飾タイヤの外観を表示する表示画面と、を具え、
前記サーバは、装飾タイヤの該装飾が装飾タイヤの使用時に損傷しやすい装飾不適領域を示す装飾不適領域情報を含む情報を格納するデータベースと、データベースから該装飾不適領域情報を取得して、前記ユーザ端末の表示画面に装飾タイヤの該装飾不適領域を表示させる装飾不適領域表示手段と、装飾不適領域補正手段と、を含み、
前記サーバの装飾不適領域補正手段は、前記使用条件指定手段を介して指定されたタイヤの使用条件が悪路で使用されることが多い使用条件の場合には、車道またはコンクリート上で使用されることが多い使用条件の場合よりもタイヤのトレッド付近の装飾不適領域を拡大するように、前記装飾不適領域情報を補正し、
前記サーバの装飾不適領域表示手段は、補正された装飾不適領域情報を前記ユーザ端末の表示画面に表示させることを特徴とする装飾タイヤ注文システム。
【請求項２】
前記ユーザ端末はさらに、装飾が施されるタイヤを特定するタイヤ特定手段を具え、
前記サーバの装飾不適領域補正手段は、該タイヤ特定手段を介して特定されたタイヤに応じて前記装飾不適領域情報を補正し、
前記サーバの装飾不適領域表示手段は、補正された装飾不適領域情報を前記ユーザ端末の表示画面に表示させる、請求項１に記載の装飾タイヤ注文システム。
【請求項３】
前記サーバの装飾不適領域表示手段は、前記ユーザ端末の装飾指定手段を介して前記装飾不適領域内に装飾を施す指定がなされた際に、前記ユーザ端末の表示画面に、装飾不適領域の指示を、該装飾タイヤの装飾とともに確認できるように、前記装飾タイヤの外観に重ねて表示させる、請求項１または２に記載の装飾タイヤ注文システム。
【請求項４】
前記サーバはさらに、装飾タイヤが回転する時の外観を前記ユーザ端末の表示画面に表示させる回転外観表示手段を含み、
該サーバの回転外観表示手段は、前記装飾タイヤを回転軸周りに少しずつ回転させた画像を統合して車輌走行時のタイヤの外観を示す動画を作成し、または装飾タイヤに回転混色法による画像処理を行った静止画を作成して、作成した動画または静止画を前記ユーザ端末の表示画面に表示させる、請求項１〜３のいずれか一項に記載の装飾タイヤ注文システム。
【請求項５】
ネットワークと、
該ネットワークに接続されたサーバと、
該ネットワークに接続され、装飾タイヤの注文を行うためのユーザ端末とを含む、装飾タイヤ注文システムにおける、ユーザ端末での画面表示方法であって、
ユーザが該ユーザ端末で、装飾が施されるタイヤを特定する段階と、
ユーザが該ユーザ端末で、装飾が施されるタイヤの使用条件を指定する段階と、
該ユーザ端末が該サーバから、特定された装飾タイヤの使用時に装飾が損傷しやすい装飾不適領域の情報を取得する段階と、
該ユーザ端末がその表示画面に、該装飾不適領域を表示する段階と、
該ユーザ端末が該サーバから、特定された装飾タイヤについて指定された装飾タイヤの使用条件が悪路で使用されることが多い使用条件の場合には、車道またはコンクリート上で使用されることが多い使用条件の場合よりもタイヤのトレッド付近の装飾不適領域を拡大するように補正された、装飾不適領域の情報を取得する段階と、
該ユーザ端末がその表示画面に、補正された該装飾不適領域の情報を表示する段階とを含むことを特徴とする、装飾タイヤ注文システムにおける画面表示方法。
【発明の詳細な説明】
【技術分野】
【０００１】
この発明は、ネットワークと、該ネットワークに接続されたサーバと、該ネットワークに接続され、装飾タイヤの注文を行うためのユーザ端末とを含む、装飾タイヤ注文システム、及び、該装飾タイヤ注文システムにおける画面表示方法に関するものである。
【背景技術】
【０００２】
購入する商品に施される装飾を、自分でデザインすることを求めるユーザが、ＰＣ（Ｐｅｒｓｏｎａｌ  Ｃｏｍｐｕｔｅｒ）等の端末からインターネットを通じて業者のサイトにアクセスして、商品をデザインし、その商品を注文するシステムが提案されている。例えば特許文献１には、ユーザが保有する写真が印刷されるハガキを、インターネットで注文するシステムが記載されている。
【０００３】
ここで、タイヤについても、装飾入りのタイヤ（以下、「装飾タイヤ」という）を自分でデザインしたいというユーザの要望が高まっている。
しかしながら、ユーザが自分でデザインした装飾タイヤを、実際に車輌に装着して使用すると、例えば路面や縁石と接触しやすい領域で、装飾が損傷するおそれがあるという問題があった。
【先行技術文献】
【特許文献】
【０００４】
【特許文献１】特開２００５−１２８９６４号公報
【発明の概要】
【発明が解決しようとする課題】
【０００５】
この発明は、このような問題点を解決することを課題とするものであり、使用時に装飾が損傷しにくい装飾タイヤを容易にデザインし注文できる、装飾タイヤ注文システム、及び、装飾タイヤ注文システムにおける画面表示方法を提供することを目的とするものである。
【課題を解決するための手段】
【０００６】
この発明の装飾タイヤ注文システムは、ネットワークと、前記ネットワークに接続されたサーバと、前記ネットワークに接続され、タイヤの少なくとも一部に装飾が施された装飾タイヤの注文を行うためのユーザ端末と、を具える装飾タイヤ注文システムであって、前記ユーザ端末は、前記装飾の内容とタイヤ上の位置を指定する装飾指定手段と、装飾が施されるタイヤの使用条件を指定する使用条件指定手段と、該装飾指定手段を介して指定された装飾が施された装飾タイヤの外観を表示する表示画面とを具え、前記サーバは、装飾タイヤの該装飾が装飾タイヤの使用時に損傷しやすい装飾不適領域を示す装飾不適領域情報を含む情報を格納するデータベースと、データベースから該装飾不適領域情報を取得して、前記ユーザ端末の表示画面に装飾タイヤの該装飾不適領域を表示させる装飾不適領域表示手段と、装飾不適領域補正手段と、を含み、前記サーバの装飾不適領域補正手段は、前記使用条件指定手段を介して指定されたタイヤの使用条件が悪路で使用されることが多い使用条件の場合には、車道またはコンクリート上で使用されることが多い使用条件の場合よりもタイヤのトレッド付近の装飾不適領域を拡大するように、前記装飾不適領域情報を補正し、前記サーバの装飾不適領域表示手段は、補正された装飾不適領域情報を前記ユーザ端末の表示画面に表示させることを特徴とする。
【０００７】
このシステムによれば、ユーザが装飾タイヤをデザインする際に、ユーザにタイヤの装飾不適領域を伝えることで、タイヤの装飾不適領域に装飾が施されることが予め有効に防止され、ユーザは使用時に装飾が損傷しにくい装飾タイヤを、容易にデザインし注文することができる。また、このシステムによれば、ユーザが実際に装飾タイヤを使用する環境で、装飾が損傷されにくくした装飾タイヤをデザインすることができる。
【０００８】
ここで、前記サーバは装飾不適領域補正手段を含み、前記ユーザ端末は装飾が施されるタイヤを特定するタイヤ特定手段を具え、該サーバの装飾不適領域補正手段は、該タイヤ特定手段を介して特定されたタイヤに応じて前記装飾不適領域情報を補正し、前記サーバの装飾不適領域表示手段は補正された装飾不適領域情報を前記ユーザ端末の表示画面に表示させることが好ましい。この場合には、ユーザは、様々なタイヤについて、タイヤによって異なるそれぞれの装飾不適領域に基づいて、使用時に装飾が損傷しにくい装飾をデザインすることができる。
【００１０】
そして、前記サーバの装飾不適領域表示手段は、前記ユーザ端末の装飾指定手段を介して前記装飾不適領域内に装飾を施す指定がなされた際に、前記ユーザ端末の表示画面に、ポップアップによる警告を表示させることが好ましい。この場合には、ユーザは、装飾不適領域内に装飾を施したことを即座に把握できるため、ユーザのデザイン作業の手戻りを最小限とすることができる。
【００１１】
ところで、前記サーバの装飾不適領域表示手段は、前記ユーザ端末の装飾指定手段を介して前記装飾不適領域内に装飾を施す指定がなされた際に、前記ユーザ端末の表示画面に、装飾不適領域の指示を、該装飾タイヤの装飾とともに確認できるように、前記装飾タイヤの外観に重ねて表示させることが好ましい。この場合には、ユーザは装飾不適領域を容易に把握することができる。
【００１２】
なお、前記サーバはさらに、装飾タイヤが回転する時の外観を前記ユーザ端末の表示画面に表示させる回転外観表示手段を含み、該サーバの回転外観表示手段は、前記装飾タイヤを回転軸周りに少しずつ回転させた画像を統合して車輌走行時のタイヤの外観を示す動画を作成し、または装飾タイヤに回転混色法による画像処理を行った静止画を作成して、作成した動画または静止画を前記ユーザ端末の表示画面に表示させることが好ましい。この場合には、タイヤのデザイン時に、回転外観表示手段が、装飾タイヤが搭載された車輌が走行している際のタイヤの外観をシミュレーションすることで、車輌走行時の装飾性が高い装飾タイヤを容易にデザインすることができる。
【００１３】
ここにおいて、前記装飾タイヤ注文システムは、前記サーバを介して前記注文を受け付ける受注端末を具えることが好ましい。この場合には、ユーザがデザインした装飾タイヤを即座に受注して、短納期で装飾タイヤをユーザに提供することができる。
【００１４】
次に、この発明の画面表示方法は、ネットワークと、該ネットワークに接続されたサーバと、該ネットワークに接続され、装飾タイヤの注文を行うためのユーザ端末とを含む、装飾タイヤ注文システムにおけるユーザ端末での画面表示方法であって、ユーザが該ユーザ端末で装飾が施されるタイヤを特定する段階と、ユーザが該ユーザ端末で、装飾が施されるタイヤの使用条件を指定する段階と、該ユーザ端末が該サーバから特定された装飾タイヤの使用時に装飾が損傷しやすい装飾不適領域の情報を取得する段階と、該ユーザ端末がその表示画面に、該装飾不適領域を表示する段階と、該ユーザ端末が該サーバから、特定された装飾タイヤについて指定された装飾タイヤの使用条件が悪路で使用されることが多い使用条件の場合には、車道またはコンクリート上で使用されることが多い使用条件の場合よりもタイヤのトレッド付近の装飾不適領域を拡大するように補正された、装飾不適領域の情報を取得する段階と、該ユーザ端末がその表示画面に、補正された該装飾不適領域の情報を表示する段階とを含むことを特徴とする。
この方法によれば、ユーザは、様々なタイヤに対して、使用時に装飾が損傷しにくい装飾を容易にデザインすることができる。
【００１５】
なお、この発明において、タイヤに施される装飾とは印刷された文字、図形、バーコードを含む記号、模様等を含むものとする。
【発明の効果】
【００１６】
この発明に係る装飾タイヤ注文システム及び装飾タイヤ注文システムにおける画面表示方法によれば、使用時に装飾が損傷しにくい装飾タイヤを、容易にデザインして注文することができる。
【図面の簡単な説明】
【００１７】
【図１】本発明の一実施形態の装飾タイヤ注文システムの構成を示す図である。
【図２】図１の装飾タイヤ注文システムのサーバの制御構成を示す機能ブロック図である。
【図３】図１のユーザ端末の表示画面に表示される画面の一例を示す図である。
【図４Ａ】本発明の一実施形態で、ユーザが装飾タイヤをデザインする際のフロー図である。
【図４Ｂ】本発明の一実施形態で、ユーザが装飾タイヤをデザインする際のさらに詳しいフロー図である。
【発明を実施するための形態】
【００１８】
以下に、図面を参照しつつ、この発明の実施の形態を例示説明する。
【００１９】
（システム構成）
図１は、この発明の一実施形態に係る装飾タイヤ注文システムの構成図である。装飾タイヤ注文システム１は、ユーザがタイヤの、例えばサイド部をデザインする際に、タイヤの装飾不適領域に装飾が施されることを防止して、タイヤの使用時に装飾が損傷されることを有効に防止するのに好適なシステムである。
【００２０】
この実施形態の装飾タイヤ注文システム１は、サーバ３と、複数のユーザ端末４と、一つ以上の受注端末５から構成され、サーバ３は、ユーザ端末４及び受注端末５のそれぞれとネットワーク２を介して通信可能に接続される。
【００２１】
サーバ３、ユーザ端末４及び受注端末５を接続するネットワーク２の例として、インターネットやイントラネット、無線回線や衛星回線や赤外線通信などがある。サーバ３、ユーザ端末４及び受注端末５の間のインターフェースは、例えば、ユーザ端末４及び受注端末５がＷＥＢブラウザを備え、サーバ３はＷＥＢサーバを立ち上げて、ＨＴＴＰやＨＴＴＰＳによる通信で実現することができる。
【００２２】
この実施形態の装飾タイヤ注文システムの説明において、ユーザとは、装飾タイヤをデザインして注文する者をいう。
【００２３】
サーバ３は、ユーザがユーザ端末４で装飾タイヤをデザインして注文できるように各種処理を行うとともに、各種タイヤの形状、装飾不適領域情報及び装飾タイヤの受注情報等を管理するサーバである。
【００２４】
ユーザ端末４は、装飾タイヤをデザインして注文するユーザが使用する端末である。ユーザ端末４の例として、ＰＣやＰＤＡ、携帯電話等の様々な機器を使用することができる。
【００２５】
受注端末５は、タイヤの工場や販売店等の担当者が使用する端末である。受注端末５には、ＰＣやＰＤＡ、携帯電話等の様々な機器を使用することができる。
【００２６】
（サーバの構成）
図２に示すように、サーバ３は、画面表示手段１１と、装飾不適領域表示手段１２と、装飾不適領域補正手段１３と、受注手段１４と、回転外観表示手段１５と、受注情報表示手段１６と、データベース１７と、情報通信手段１８とを備える。
【００２７】
サーバ３は、ユーザ端末で装飾タイヤをデザインして注文するための機能と、装飾タイヤの装飾不適領域を表示する機能と、装飾タイヤを受注する機能とを有するように、各手段が構成されている。
【００２８】
画面表示手段１１は、ユーザ端末４に各種画面を表示させる機能を有する。表示される画面は、例えば図３に示されるような装飾タイヤデザイン画面等である。
【００２９】
装飾不適領域表示手段１２は、データベース１７から、タイヤに装飾を施した際に、縁石や路面等との接触によって装飾が損傷されやすいタイヤの装飾不適領域の情報（装飾不適領域情報）を取得して、ユーザ端末４に表示させる機能を有する。ユーザが装飾不適領域に装飾を施した際に警告を表示させることができる。装飾不適領域をタイヤの外観に重ねて表示させることもできる。
【００３０】
装飾不適領域補正手段１３は、ユーザが入力したタイヤの使用条件（路面、天候、走行距離等）に応じて、装飾不適領域を拡大、縮小、変更等する機能を有する。
【００３１】
受注手段１４は、ユーザがデザインした装飾タイヤを受注する機能を有する。受注時にサーバ３が受け取る情報は、例えば、タイヤの種類、型名、デザインされた装飾、ユーザの氏名、住所、口座番号等の個人情報や、タイヤの受け取り方法である。
【００３２】
回転外観表示手段１５は、ユーザがデザインした装飾タイヤが回転する際の外観を表示させる機能を有する。ユーザ端末４にて、装飾タイヤを装着して走行する車輌の走行速度を指定することができるようにしてもよい。
【００３３】
受注情報表示手段１６は、タイヤの工場や販売店等の担当者が、装飾タイヤの受注情報を表示できるように、受注端末５に受注情報を表示させる機能を有する。
【００３４】
データベース１７は、各種タイヤの形状、装飾不適領域情報、受注情報、ユーザの個人情報等を格納する。
【００３５】
情報通信手段１８は、サーバ３がユーザ端末４及び受注端末５とインターネット等のネットワーク２を介して通信を行う機能を有する。
【００３６】
（端末の構成）
ユーザ端末４及び受注端末５はそれぞれ、図示しない情報通信手段と、情報入力手段と、表示画面とを備える。
【００３７】
これら端末の情報通信手段は、サーバ３との間で情報を送受信する機能を有する。情報通信手段として、インターネット回線に接続可能なＷＥＢブラウザを利用することができる。
【００３８】
情報入力手段は、ユーザ端末４のユーザまたは受注端末５の利用者が各種情報等を入力する機能を有する。情報入力手段を有する端末として、キーボード、マウス及び記憶媒体のスロットを備えたＰＣを利用できる。
また、ユーザ端末４の情報入力手段は、タイヤに施す装飾の内容と装飾のタイヤ上の位置を指定する装飾指定手段２１、装飾が施されるタイヤを特定するタイヤ特定手段２２、装飾が施されるタイヤの使用条件を指定する使用条件指定手段２３、その他個人情報等を入力する手段等を有している。
【００３９】
図３に示すように、ユーザ端末４の表示画面２５は、上記の装飾指定手段２１、タイヤ特定手段２２、使用条件指定手段２３等の表示の他、ユーザが情報入力手段によって各種情報を入力した後に、表示画面の一定の領域２４に、装飾が施された装飾タイヤの外観（イメージ図）を少なくとも含む、それらの結果を表示する。なお、図３では、領域２４に装飾タイヤのみの外観を表示しているが、装飾タイヤに組み付けるホイールや、装飾タイヤを装着する車輌を一緒に表示させることもできる。
【００４０】
装飾タイヤ発注システム１において、ユーザは、ユーザ端末４で、容易に装飾タイヤをデザインして注文することができる。そして、ユーザが装飾タイヤのデザインを行う際に、装飾が損傷しやすい装飾不適領域がユーザ端末に表示されることで、ユーザは使用時に装飾が損傷しにくい装飾タイヤのデザインを容易に行うことができる。
【００４１】
また、タイヤの工場や販売店の担当者は、受注端末５で、受注した装飾タイヤの情報を、ユーザの発注後速やかに取得して、ユーザ希望の装飾タイヤを準備した後、ユーザに装飾タイヤを提供することができる。
【００４２】
（システム機能の説明）
図１及び２を参照して、ユーザが装飾タイヤをデザインする際に、装飾不適領域を確認できるようにするためのシステム機能の説明を行う。なお、ユーザ端末４はサーバ３へのアクセスを確立しており、様々なタイヤの形状や装飾不適領域情報がサーバ３のデータベース１７に格納されているものとする。
【００４３】
（装飾不適領域の表示）
１．ユーザは、ユーザ端末４の装飾指定手段で、装飾タイヤのデザインを行う。ユーザは、データベース１７に格納されている既成のデザイン情報をそのまま利用することができ、修正して使用することもできる。また、ユーザが独自に装飾タイヤをデザインすることもできる。
２．サーバの装飾不適領域表示手段１２は、タイヤの装飾不適領域情報をデータベース１７から取得して、装飾不適領域上に装飾が施されたかチェックし、上記装飾指定手段を介した指定により装飾不適領域上に装飾が施された場合には、装飾不適領域をユーザ端末４に表示させる。それらの表示の方法としては、例えば、ユーザが装飾不適領域に特定の装飾を位置させたときに、画面をポップアップすることで警告を表示することができる。警告を表示する際にユーザが行った操作をキャンセルすることもできる。
また、サーバ３の装飾不適領域表示手段１２は、上記のポップアップ表示とともに、またはこれに代えて、装飾不適領域を、例えば図３のように閉曲線に囲まれたハッチ入りの半透明の領域として、装飾タイヤの装飾とともに確認できるように、換言すれば、装飾タイヤの装飾が依然としてほぼ完全に視認できるように、タイヤの外観に重ねて表示することができる。 
【００４４】
（装飾不適領域の補正）
１．ユーザは、ユーザ端末４のタイヤ特定手段によってタイヤの車種、用途、サイズ、型名等でタイヤを特定するか、または、それとともに若しくはそれに代えて、使用条件指定手段によって装飾タイヤの使用条件（路面、天候、走行距離等）を指定する。
２．サーバ３の装飾不適領域補正手段１３は、ユーザが特定したタイヤ、または、ユーザが指定するタイヤの使用条件に応じて装飾不適領域情報を補正する。例えば、タイヤの使用条件による補正の場合、砂利道、雪道、砂地、泥道、オフロード等の悪路で使用されることが多い場合には、車道やコンクリート上で使用されることが多い場合よりも、タイヤのトレッド付近等の装飾不適領域を拡大する。
装飾不適領域補正手段１３は補正された装飾不適領域を、装飾不適領域表示手段１２に通知し、装飾不適領域表示手段１２は装飾不適領域に装飾が施されているかチェックする。装飾不適領域に装飾が施されている場合には、ユーザ端末４の表示画面に前記のポップアップ表示等を行う。
【００４５】
（装飾タイヤをデザインする際のフロー）
以下、図４Ａ、４Ｂのフローチャートを参照して、装飾タイヤ注文システムで、ユーザが装飾タイヤをデザインする際のフローの一例を説明する。
【００４６】
ステップＳ１０１では、ユーザは、ユーザ端末４の装飾指定手段２３で、装飾タイヤのデザインを行う。ユーザは例えば、写真等の画像データをパノラマにしてタイヤのサイド部の装飾としたり、サイド部に環状のカラーラインを形成したり、文字を付したりすることができる。また、サーバ３のデータベース１７に格納されている既存のデザインを利用することもできる。
ユーザによるデザインはサーバ３に送信され、サーバ３の装飾不適領域表示手段１２は、タイヤの装飾不適領域に装飾が施されたかチェックする。装飾不適領域に装飾が施された場合には、ユーザ端末４の表示画面２５に、装飾が施された装飾タイヤの外観（イメージ図）とともに、例えば、前記したポップアップによる警告及び／または装飾不適領域の表示を行う。
【００４７】
ステップＳ１０２では、ユーザは、ユーザ端末４のタイヤ特定手段２２でデザインを行うタイヤを特定し、及び／または、ユーザ端末４の使用条件指定手段２３でタイヤの使用条件を指定する。特定されたタイヤの情報及び／または指定されたタイヤの使用条件はサーバ３に送信され、サーバ３の装飾不適領域補正手段１３は、タイヤの装飾不適領域情報を補正する。その後、サーバの装飾不適領域表示手段１２は、タイヤの装飾不適領域に装飾が施されているかチェックする。チェック結果がＮＧの場合には、ステップＳ１０１に戻り、ユーザは装飾タイヤのデザインを修正する。
【００４８】
ステップＳ１０３では、ユーザは、ユーザ端末４で、ユーザがデザインした装飾タイヤが、車輌に装着されて走行する際の外観を確認する。確認する際に走行速度を指定することもできるようにしておいてもよい。サーバ３の回転外観表示手段１５は、装飾タイヤを回転軸周りに少しずつ回転させた画像を統合して車輌走行時のタイヤの外観を示す動画を作成し、または装飾タイヤに回転混色法による画像処理を行った静止画を作成して、作成した動画または静止画をユーザ端末４に表示する。ユーザが走行時の外観に問題があると判断した場合にはステップＳ１０１に戻り、ユーザは装飾タイヤのデザインを修正する。
なお、上記の走行時外観の確認作業をスキップすることもできる。
【００４９】
（装飾タイヤを発注する際のフロー）
以下、フローチャートは図示しないが、装飾タイヤ注文システムで、ユーザが装飾タイヤを注文する際のフローの一例を説明する。
【００５０】
装飾タイヤのデザインが完了した後、ユーザは、ユーザ端末４で装飾タイヤの発注処理を行う。具体的には、ユーザ端末４で、住所、氏名等の個人情報や、タイヤの受け取り方法等を入力する。入力された発注情報と装飾タイヤのデザインは、ユーザ端末４からサーバ３へ送信される。
なお、すでにタイヤを発注したことがあるユーザの場合には、サーバ３のデータベース１７に格納されている情報を利用することで、入力作業の少なくとも一部を不要とすることができる。
【００５１】
サーバ３は、受け取った発注情報をデータベース１７に格納する。その後、装飾タイヤの完成日時や料金等を求めて、ユーザ端末４に表示させる。
【００５２】
タイヤの工場や販売店等の担当者は、受注端末５で、サーバ３のデータベース１７から、受注した装飾タイヤの型名、装飾や、ユーザの個人情報等を取得して、受注端末５の画面で確認することができる。その後担当者の属する受注者は、タイヤ工場または販売店等で、例えば、ユーザの指定する装飾を印刷することにより、装飾タイヤを製造して顧客に提供したり、顧客から持ち込まれるタイヤに装飾を施すサービスを行ったりすることができる。
【符号の説明】
【００５３】
１  装飾タイヤ注文システム
２  ネットワーク
３  サーバ
４  ユーザ端末
５  受注端末
１１  画面表示手段
１２  装飾不適領域表示手段
１３  装飾不適領域補正手段
１４  受注手段
１５  回転外観表示手段
１６  受注情報表示手段
１７  データベース
１８  情報通信手段
２１  装飾指定手段
２２  タイヤ特定手段
２３  使用条件指定手段
２５  表示画面
【図１】
0005961401.tif 000002
【図２】
0005961401.tif 000003
【図３】
0005961401.tif 000004
【図４Ａ】
0005961401.tif 000005
【図４Ｂ】
0005961401.tif 000006